(57)【要約】      （修正有）【課題】水田の除草を簡便に行うことができ、条間に生えた雑草のみを機械的に除草することができる条間除草機を提供する。【解決手段】動力源を伝達されて回転する回転ギア部分に、コの字型の形状をし、その両先端を下向きに装着した除草刃部と、除草の飛散防止と稲苗の保護のための推進保護カバー部と、浮力を推進できる形状をした安定板部とを有している。【選択図】図１
0003168458.tif 000002
【実用新案登録請求の範囲】
【請求項１】
動力源を伝達されて回転する回転ギア部分に、コの字型形状の刃を下向きに装着した除草刃部と、除草の飛散防止と稲苗の保護のための推進保護カバー部と、浮力を推進できる形状をした安定板部とを有していることを特徴とした条間除草機
【請求項２】
コの字型形状の刃を下向きに装着した除草刃部は、田畑の条間でも深く除草ができ、土壌にも酸素を供給できるようにして、材質として鋼質で、下向き部分にして、稲苗の条間内の幅であるコの字の全面を刃にしていることを特徴とした請求項１に記載の条間除草機
【請求項３】
除草の飛散防止と稲苗の保護のための推進保護カバー部は、先端部に稲苗株を傷めないような緩い角度を持つ三角形状で、前面より水を取り入れ、水の抵抗を受けず、先端を反り上がらせた形状にして、材質として樹脂、または金属であって、除草刃を覆った蒲鉾型状態での覆いであることを特徴とする請求項１又は請求項２に記載の条間除草機
【請求項４】
浮力で推進力を得る形状をした安定板部は、カバーの後方部に取り付け、直進性と水没を抑えたソリ型形状であることを特徴とする請求項１〜請求項３のいずれかに記載の条間除草機
【考案の詳細な説明】
【技術分野】
【０００１】この考案は、田畑の除草機に関し、簡易的なアタッチメントを手持ち式動力草刈機、及び手押し式草刈機に装着し、条間の除草を効率よく行う作業機を提供しようとするものである。
【背景技術】
【０００２】人手による農具、農機具を使った除草もしくは除草剤を使った駆除方法【０００３】しかしながら、条間の除草作業は農具、農機具を使った除草作業は手間、労力がかかり、除草剤を使った駆除方法も近年市場からニーズが高い有機農法とは相反するし、コストも割高である。【０００４】  走行枠体を走行させると、進行方向先端部の滑走部材は作物の条間を滑走すると共に条間ロータは田土の抵抗を受けて自転して作物の条間に存在する雑草を除草することになり、滑走部材と条間ロータとの中間位置の株間ロータも田土の抵抗を受けて異方向に自転して上記作物の株間に存在する雑草を除草し、作物の条間及び株間に存在する雑草を除去することができ、良好な中耕除草作業を行うことができる装置を提案されている（特許文献１参照）。【０００５】  水田稲栽培期間中、田面に発生する雑草を農薬に依る除草方法にかわって、除草機中の埋没刃と埋没網の回転に依って雑草を土中に挿入埋没し窒息死させ農薬を使用しないで除草する事を目的として、除草機の前部に接地板と、回転攪拌体と、円筒形埋没網と外周に複数の埋没刃とを接着した回転体させ、これらの回転体を並行して両側の枠に取りつけられて回転し、柄は本除草機を推進させることが提案されている（特許文献２参照）。【０００６】  水田の除草を畑等の水の無い場所の除草と同様に簡便に行なうことができ、しかも小らち間と大らち間とを機械的に除草することができるようにした水田用除草機の提供を目的として、原動機の動力を伝達されて回転する回転テーブルを備え、回転テーブルの下面に所定の間隔で複数の除草爪を突設した除草手段と、除草手段の側周を覆い、適所に複数の排水孔を設けた保護カバーとを有する水田用除草機を提案されている（特許文献３参照）。【０００７】  狭い場所や狭い範囲の除草作業を簡単にかつ確実に行なえる除草装置を提供し、手持ち式の支持杆の先端に作業面に対して略平行に延び回転駆動される回転軸を設けて、回転軸２は高さ調整をすることができる接地手段を備えることによって地表面から一定の高さを維持し、回転軸２の軸方向の複数位置において放射方向に延びる刃体を設ける装置を提案されている（特許文献４参照）。
【先行技術文献】
【特許文献】
【０００８】
【特許文献１】特開２００７−８９４８５号公報
【特許文献２】特開平８−１４０４０８号公報
【特許文献３】特開平１１−７５４１４号公報
【特許文献４】特開２００６−６２６０号公報
【考案の概要】
【考案が解決しようとする課題】
【０００９】従来生育している苗の成長を妨げる雑草の除草は必要不可欠な作業ではあるが、農具、農機具を使いながら苗を傷つけずに早く楽に作業するのは困難であった。【００１０】他方、水田周りの畦の草刈は手持ち式の動力草刈機及び、手押し式草刈機が使用され大変便利であるゆえ一般的に普及しているが、水を張った水田でしかも苗、稲を傷つけないように作業すること自体不可能であった。【００１１】この考案は従来例の上記欠点を解消しようとするもので、水田の除草を畑等の水の無い場所の除草と同様に簡便に行なうことができ、しかも条間に生えた雑草のみを機械的に除草することができるようにした条間除草機の提供を目的とするものである。
【課題を達成するための手段】
【００１２】動力源を伝達されて回転する回転ギア部分に、コの字型形状の刃を下向きに装着した除草刃部と、除草の飛散防止と稲苗の保護のための推進保護カバー部と、浮力で推進力を得る形状をした安定板部とを有している条間除草機である。
【００１３】コの字型形状の刃を下向きに装着した除草刃部は、水を張った水田でも深く除草ができ、土壌にも酸素を供給できるようにして、材質として鋼質で、下向き部分にしてコの字の全面を刃の状態にしている。刈刃の形状は上述に限定されるものではない。
【００１４】除草の飛散防止と稲苗の保護のための推進保護カバー部は、先端部に稲を傷めないよう緩い角度の三角形状として、前面より水を取り入れ、先端を反り上がらせることにより、水の抵抗を受けない形状にして、材質として樹脂、または金属で、除草刃を覆った蒲鉾型状態でのカバーである。
【００１５】浮力で推進力を得る形状をした安定板部は、カバーの後方部に取り付け、直進性と水没を抑えたソリ型形状である。
すなわち、この考案の条間除草機は手持ち式の動力草刈機、及び手押し式草刈機のギアケースにコの字型をした形状の刃を下向きに装着して回転で切断しながら除草をすることができるものである。
【００１６】この考案の条間除草機は手持ち式動力草刈機、及び手押し式草刈機の操作管を利用して取り付け、ギアケース及び刈刃部分を保護カバーで覆うことにより条間に発生した雑草のみを除草することを特徴とするものである。
【００１７】この考案の条間除草機の保護カバーはソリの形状を参考とし省力で作業ができ、苗を傷めないように丸みを帯びている。
【００１８】この考案の条間除草機は刃をさらにコの字型に形状することにより、水中でも使用が可能となる他土壌を耕すことにもなり、酸素を供給する効果もある。
【００１９】この考案の水田用除草機は条間に収まる大きさで成型され、除草作業で稲株を傷めないよう丸みを帯びた緩い三角形状を特徴とするものである。
【００２０】この考案の条間除草機は前面より水を取り入れ、先端を反り上がらせることにより水の抵抗を受けにくく浮力が増し作業者も容易に作業できるようになるのを特徴とするものである。
【００２１】この考案の条間除草機はカバーの後方部分に安定板を取り付け、直進性と推進性に優れた機能を特徴とした。
【００２２】この考案の条間除草機は刈刃の形状を変更することにより、畑の株間の除草、障害物が多い平地の草刈としても兼用できる。
【考案の効果】
【００２３】この考案の条間除草機は、以下のように手持ち式動力草刈機、及び手押し式草刈機の操作管先端の除草手段の側周を覆い、走行を容易にする形状の保護カバーを有するようにしたので、水田の条間の除草を容易に機械的に行うことができるようになった。
【００２４】またこの条間除草機により、水田に限らず畑の畝間の除草や飛散物が多い平地の除草作業においても同じ使用方法で効率よく、安全な除草作業を行えるようになった。また刈刃の高さが地面に設置する保護カバーにより固定されるので、均一な刈高で除草を行えるようになった。田植えが終わって数日後に除草作業を行う場合でも、通常カバーが入らない株間にも泥を攪拌した水がかかることで雑草の成長を抑える効果を示した。
【図面の簡単な説明】
【００２５】
【図１】条間除草機の側面図
【図２】条間除草機の平面図
【図３】条間除草機の底面図
【図４】条間除草機に使用する刈刃  Ａ：側面図、Ｂ：側面図
【図５】条間除草機の保護カバー図  Ａ：平面図、Ｂ：側面図、Ｃ：底面図
【図６】条間除草機の安定板図  Ａ：平面図、Ｂ：側面図、Ｃ：底面図
【考案を実施するための形態】
【００２６】以下、この条間除草機の実施の形態を、図面に基づいて詳細に説明する。
図１ないし図２は、この条間除草機の実施例で使用するものを表している。図１、図２において７は手持ち式動力刈払機の操作管で、内部にはシャフトを内蔵し、末端にあるエンジンの動力（図示せず）をギアケース側（先端側）へ伝達するようになっている。
【００２７】そして操作管７の先端ギアケース部分には、図３及び図４の刈刃６が取り付けられる。刃の形状はコの字型をしており回転し切断しながら除草を行う。刃の形状は、雑草の性質、圃場の条件などを考慮して決されるが、一般的にはコの字型を使用することができる。
【００２８】保護カバー１の中に操作管７を通しその上から固定カバー２を装着し６本のボルト、ナット４で固定する。刈刃６がカバー１の内側に接触しないように水平を保ちながら装着する。操作管７に対する固定位置の調整で刈刃６の深さ調整を行うことができ、雑草の状態、水の深さに適した刈高で作業できる。
【００２９】保護カバー１は楕円形に近い形状をしており、接触する苗を傷めないような形状になっている。
【００３０】保護カバー１は進行方向前面部が大きく開口している。これは水田の水が抵抗となって進行の妨げにならない配慮となっている。
【００３１】保護カバー１は先端部分が丸みを帯びた緩い三角形状で上方に反っている。この形状は先端部分が沈まないような配慮となっている。
【００３２】安定板３は保護カバー１の後方にボルト、ナットで固定装着し、安定した推進力の向上と前方部が沈まぬよう装着する。
【００３３】この水田用条間草刈機においては、刈刃６による除草手段と、保護カバー１とが操作管７に取替え可能なように取り付けられている。したがって既存の草刈機の刈刃を取り外し、保護カバー１、上部カバー２、安定板３を装着し、刈刃６を装着することで条間除草機に変身させることができる。
【実施例１】
【００３４】  図５に示すように、カバーは材質として強化プラスティック製の丸みの蒲鉾形状をもった流線型で、作物を角で傷つけないように工夫した。カバーの幅は２６０ｍｍ、長さ６００ｍｍのものを使用した。図６に示すように、安定板は、長さ１８０ｍｍの強化プラスティック製ソリ型で、又内部に装着する刃は、図４に示すように、鋼製のコ字型で２００ｍｍ幅のものを、上記部品を組み立てて、図１のような装置に仕上げた。【００３５】  この条間除草機は、通常の手持ち式草刈機と同様にエンジンを始動して水田の中に入れた。苗と苗の間にエンジンの回転数を上げ、刈刃６を回転させながら、条間に沿って歩行した。【００３６】  この装置、田植え機で苗を植えた場合、３００ｍｍの間隔で植えつける水田で、苗は成長と共に分蘖するので、２６０ｍｍの幅で、苗に当たることなく除草作業を行うことができた。材質を強化プラスティックにしているので石飛や刈刃の接触に耐える耐久性があるものであった。人が歩くスピードと同じペースで、除草作業ができるので、従来普及している除草機と比べ効率が良くなり力を取らずに楽に作業ができた。【００３７】１列の条間の除草が終わったら条間除草機を持ち上げ、次の条間に再度セットした。この作業を繰り返すことで水田の除草を効率よく、かつ安全に執り行う事ができた。
【実施例２】
【００３８】実施例１と同様な条間除草機を、野菜畑の畝間の除草に使用した。水田で使用した効果と同じように作物を傷めることなく作業を行うことができた。この場合、飛散物が多い平地の除草作業においても同じ使用方法で効率よく、安全な除草作業を行うことができた。また刈刃の高さが地面に設置するカバーにより固定されるので、均一な刈高で除草を行えるようになった。【００３９】水田の畦際の法面などでも同様の作業を行った。水際のぎりぎりまで草刈作業ができ、飛散も少なく安全な草刈作業ができた。【００４０】芝生がある庭でも作業を検証した。刈刃の高さが地面に設置するカバーにより固定されるので、均一な刈高で芝生を刈ることができた。作業後の庭の状態は均一に芝が刈られて整っていた。
【符号の説明】
【００４１】１．保護カバー
２．上部カバー
３．安定板
４．ボルト／ナットＡ
５．ボルト／ナットＢ
６．刈刃
７．操作管
８．刈刃固定ボルト
【図１】
0003168458.tif 000003
【図２】
0003168458.tif 000004
【図３】
0003168458.tif 000005
【図４】
0003168458.tif 000006
【図５】
0003168458.tif 000007
【図６】
0003168458.tif 000008
【手続補正書】
【提出日】平成23年3月17日(2011.3.17)
【手続補正１】
【補正対象書類名】実用新案登録請求の範囲
【補正対象項目名】請求項１
【補正方法】変更
【補正の内容】
【請求項１】
動力源を伝達されて回転する回転ギア部分に、コの字型の形状をし、その両先端を下向きに装着した除草刃部と、除草の飛散防止と稲苗の保護のための推進保護カバー部と、浮力を推進できる形状をした安定板部とを有していることを特徴とした条間除草機